(57)【要約】【課題】構造の大型化や消費電力の増加を回避しつつ、様々な場所からアラーム表示部の点灯や点滅を視認可能にする。【解決手段】アラーム表示部４は、導光部材４１、第一光源４２、および透光部材４３を備えている。導光部材４１は、医療情報が表示される表示面と平行な第一方向に延びている。第一光源４２は、導光部材４１の前記第一方向における端面４１ａに対向している。透光部材４３は、前記第一方向と交差する第二方向から導光部材４１を覆う。導光部材４１は、反射部と外表面４１ｄを備えている。反射部は、前記第一方向に延び、端面４１ａから入射した光を前記第二方向へ反射する。外表面４１ｄは、前記反射部に反射された光の少なくとも一部を拡散させつつ出射する。【選択図】図２
2019096551.tif 000002
【特許請求の範囲】
【請求項１】
医療情報が表示される表示面を有する情報表示部と、
アラーム情報を提供するアラーム表示部と、
を備えており、
前記アラーム表示部は、
前記表示面と平行な第一方向に延びる導光部材と、
前記導光部材の前記第一方向における端面に対向している第一光源と、
前記第一方向と交差する第二方向から前記導光部材を覆っている透光部材と、
を備えており、
前記導光部材は、
前記第一方向に延び、前記端面から入射した光を前記第二方向へ反射する反射部と、
前記反射部に反射された光の少なくとも一部を拡散させつつ出射する外表面と、
を備えている、
医療用表示装置。
【請求項２】
前記反射部を前記第一方向から見た断面形状は、前記導光部材を前記第一方向から見た断面形状と相似である、
請求項１に記載の医療用表示装置。
【請求項３】
前記外表面には、前記第一方向に延びる突条と溝の少なくとも一方が形成されている、
請求項１または２に記載の医療用表示装置。
【請求項４】
前記第一光源と前記導光部材の間に配置されており、前記第一光源から出射された光の一部を反射して前記導光部材の前記端面に入射させる第一反射部材を備えている、
請求項１から３のいずれか一項に記載の医療用表示装置。
【請求項５】
前記導光部材の前記外表面から出射された光を前記透光部材に向けて反射する第二反射部材を備えている、
請求項１から４のいずれか一項に記載の医療用表示装置。
【請求項６】
第二光源を備えており、
前記第一光源と前記第二光源は、異なる医療情報に関連付けられている、
請求項１から５のいずれか一項に記載の医療用表示装置。
【請求項７】
前記情報表示部を包囲する筐体を備えており、
前記透光部材の外面は、前記筐体の側面から突出していない、
請求項１から６のいずれか一項に記載の医療用表示装置。
【発明の詳細な説明】
【技術分野】
【０００１】
本開示は、医療用表示装置に関する。
【背景技術】
【０００２】
特許文献１は、医療用表示装置の一例である生体情報のモニタ装置を開示している。当該モニタ装置は、アラーム表示部を備えている。アラーム表示部は、当該モニタ装置の筐体の前上部に設けられている。アラーム表示部は、生体情報の状態あるいは装置の動作状態が正常状態から逸脱した場合などにおいて、所定の色で点灯または点滅するように構成されている。
【先行技術文献】
【特許文献】
【０００３】
【特許文献１】特開２０１１−０７２５６８号公報
【発明の概要】
【発明が解決しようとする課題】
【０００４】
医療従事者などのユーザは、常にモニタ装置の付近や情報表示面の前にいるとは限らない。患者の容体の急変などに迅速に対応できるようにするため、モニタ装置の付近や情報表示面の前以外の場所からもアラーム表示部の点灯や点滅を視認可能にすることが求められている。
【０００５】
この要求に応えるための一案として、様々な方向からの視認を可能にするようにアラーム表示部の数を増やすことが考えられる。例えば、主に前方からの視認を想定している上述のアラーム表示部に加え、主に後方からの視認を想定した別のアラーム表示部を設けることが考えられる。しかしながら、この場合、光源が増加することによる構造の大型化や消費電力の増加が避けられない。
【０００６】
本発明は、構造の大型化や消費電力の増加を回避しつつ、様々な場所からアラーム表示部の点灯や点滅を視認可能にすることを目的とする。
【課題を解決するための手段】
【０００７】
上記の目的を達成するための本発明の一態様は、医療用表示装置であって、
医療情報が表示される表示面を有する情報表示部と、
アラーム情報を提供するアラーム表示部と、
を備えており、
前記アラーム表示部は、
前記表示面と平行な第一方向に延びる導光部材と、
前記導光部材の前記第一方向における端面に対向している第一光源と、
前記第一方向と交差する第二方向から前記導光部材を覆っている透光部材と、
を備えており、
前記導光部材は、
前記第一方向に延び、前記端面から入射した光を前記第二方向へ反射する反射部と、
前記反射部に反射された光の少なくとも一部を拡散させつつ出射する外表面と、
を備えている。
【０００８】
このような構成によれば、視認が求められる様々な方向のそれぞれへ向けて光を出射する光源を用意する必要がない。導光部材の第一方向における端面に光を入射させる必要最低限数の第一光源を用意すれば、導光部材による内部反射作用と拡散作用により、様々な方向へ進行する一様な出射光を得ることができる。したがって、構造の大型化や消費電力の増加を抑制しつつ、様々な場所からアラーム表示部の点灯や点滅が視認されうる。
【図面の簡単な説明】
【０００９】
【図１】一実施形態に係るモニタ装置の外観を示している。
【図２】上記のモニタ装置におけるアラーム表示部の構成を示している。
【図３】上記のアラーム表示部における導光部材の構成を示している。
【図４】上記のアラーム表示部の一部の構成を示している。
【発明を実施するための形態】
【００１０】
添付の図面を参照しつつ、実施形態の例を以下詳細に説明する。図１の（Ａ）は、一実施形態に係る生体情報のモニタ装置１の外観を示す上面図である。図１の（Ｂ）は、モニタ装置１の外観を示す左側面図である。図１の（Ｃ）は、モニタ装置１の外観を示す正面図である。図１の（Ｄ）は、モニタ装置１の外観を示す右側面図である。
【００１１】
モニタ装置１は、不図示のセンサを通じて患者から取得される生体情報を連続的に監視するための装置である。すなわち、モニタ装置１は、医療用表示装置の一例である。モニタ装置１は、筐体２、情報表示部３、および三つのアラーム表示部４を備えている。
【００１２】
情報表示部３は、表示面３１を有している。表示面３１は、筐体２の前面に配置されている。表示面３１には、上記の生体情報が表示される。生体情報は、医療情報の一例である。
【００１３】
アラーム表示部４は、筐体２の上部、左側部、および右側部に配置されている。アラーム表示部４は、所定の色で点灯または点滅することにより、アラーム情報を提供する。アラーム情報とは、上記の生体情報の状態、モニタ装置１やセンサの動作状態が正常状態から逸脱したことを示す情報である。
【００１４】
モニタ装置１がある患者のベッドサイドに配置される場合、左側部と右側部のアラーム表示部４は、上部のアラーム表示部４に対して補助的なアラーム情報を提供するために使用されうる。例えば、当該患者の生体情報が正常状態から逸脱したことを上部のアラーム表示部４が報知する場合、左側部や右側部のアラーム表示部４は、逸脱の度合いを色の違いなどで示すことができる。
【００１５】
あるいは、モニタ装置１がある患者のベッドサイドに配置される場合、上部のアラーム表示部４を当該患者に係るアラーム情報の提供用に使用し、左側部と右側部のアラーム表示部をそれぞれ別の患者に係るアラーム情報の提供用に使用できる。
【００１６】
図２は、アラーム表示部４の構成を説明するための分解斜視図である。上記の三つのアラーム表示部４のうち、筐体２の上部に配置されたものについて説明する。
【００１７】
アラーム表示部４は、導光部材４１を備えている。導光部材４１は、情報表示部３の表示面３１と平行に、筐体２の左右方向に延びる円柱形状を呈している。換言すると、導光部材４１の長手方向は、筐体２の左右方向に一致している。筐体２の左右方向は、第一方向の一例である。
【００１８】
アラーム表示部４は、一対の第一光源４２を備えている。各第一光源４２は、少なくとも一つの所定の色の光を出射可能な発光素子である。発光素子としては、発光ダイオード（ＬＥＤ）、レーザダイオード（ＬＤ）、有機ＥＬ素子などが例示されうる。各第一光源４２は、導光部材４１の長手方向における端面４１ａに対向している。すなわち、第一光源から出射された光は、導光部材４１の端面４１ａに入射する。
【００１９】
アラーム表示部４は、透光部材４３を備えている。透光部材４３は、乳白色の外観を呈している。透光部材４３は、例えばアクリル系の樹脂製あるいはポリカーボネート製である。透光部材４３は、少なくとも第一光源４２から出射される光の波長に対して透過性を有している。透光部材４３は、上方から導光部材４１を覆っている。換言すると、透光部材４３は、導光部材４１の長手方向（筐体２の左右方向）と交差する向きから導光部材４１を覆っている。上方は、第二方向の一例である。
【００２０】
図３の（Ａ）は、導光部材４１の外観を示す斜視図である。図３の（Ｂ）は、導光部材４１の長手方向に直交する断面を示している。当該断面は、円形状を呈している。図４の（Ａ）は、図２に示されるアラーム表示部４の長手方向から見た導光部材４１と透光部材４３の断面を示している。
【００２１】
導光部材４１は、反射部４１ｂを備えている。反射部４１ｂは、円柱形状を呈する導光部材４１の中心軸を含むように配置されている。反射部４１ｂは、端面４１ａから入射した光を導光部材４１の長手方向と交差する向きへ反射するように構成されている。
【００２２】
導光部材４１は、導光部４１ｃを備えている。導光部４１ｃは、導光部材４１の長手方向に交差する向きにおける反射部４１ｂの外側に位置している。導光部４１ｃは、端面４１ａより入射した光が進行する部分である。
【００２３】
導光部材４１は、外表面４１ｄを備えている。外表面４１ｄは、反射部４１ｂに反射された光の少なくとも一部を拡散させつつ出射するように表面処理がなされている。
【００２４】
第一光源４２から出射されて端面４１ａから入射する光は、導光部材４１の長手方向と交差する向きの方向成分を有している。そのような光は、内表面４１ｅによる全反射と反射部４１ｂによる反射を繰り返しながら、導光部４１ｃ内を導光部材４１の長手方向に沿って進行する。反射部４１ｂと導光部４１ｃは、それぞれアクリル系の樹脂製である。反射部４１ｂによる反射は、反射部４１ｂと導光部４１ｃの屈折率を異ならせることによって実現されてもよいし、反射部４１ｂの外表面に金属薄膜などによる反射層を形成することによって実現されてもよい。あるいは、反射部４１ｂの全体が金属により形成されてもよい。
【００２５】
内表面４１ｅによる全反射に供されない方向成分をもつ光は、外表面４１ｄから出射される。このとき、当該光は、外表面４１ｄに施された表面処理によって様々な方向へ進行する。図４の（Ａ）に示されるように、外表面４１ｄより出射した光は、透光部材４３を通過してモニタ装置１の外方に向かう。透光部材４３によるさらなる拡散を経て、第一光源４２から出射した光は、様々な方向（アラーム表示部４の長手方向から見て筐体２の前方から後方へ約１８０度の範囲）から視認されうる。
【００２６】
このような構成によれば、視認が求められる様々な方向のそれぞれへ向けて光を出射する光源を用意する必要がない。導光部材４１の長手方向における端面に光を入射させる必要最低限数の第一光源４２を用意すれば、導光部材４１による内部反射作用と拡散作用により、様々な方向へ進行する一様な出射光を得ることができる。したがって、構造の大型化や消費電力の増加を抑制しつつ、様々な場所からアラーム表示部４の点灯や点滅の視認が可能とされる。
【００２７】
上記の説明は、筐体２の左側部と右側部に配置された二つのアラーム表示部４にも適用可能である。この場合、導光部材４１は、情報表示部３の表示面３１と平行に、筐体２の上下方向に延びている。この場合における筐体２の上下方向は、第一方向の一例である。透光部材４３は、筐体２の左方または右方から導光部材４１を覆う。この場合における筐体２の左右方向は、第二方向の一例である。なお、筐体２の左側部と右側部に配置された二つのアラーム表示部４は、モニタ装置１の仕様に応じて省略されうる。
【００２８】
図３の（Ｂ）に示されるように、反射部４１ｂを導光部材４１の長手方向から見た断面形状は、円形状である。すなわち、反射部４１ｂを導光部材４１の長手方向から見た断面形状は、当該方向から見た導光部材４１全体の断面形状と相似である。
【００２９】
このような構成によれば、外表面４１ｄから出射される光の導光部材４１の長手方向と交差する向きについての方向依存性が抑制され、配光制御を容易にできる。
【００３０】
すなわち、導光部材４１の長手方向から見た導光部材４１の断面形状は、円形に限られない。楕円形や多角形などの形状が適宜に採用されうる。その場合、反射部４１ｂを導光部材４１の長手方向から見た断面形状は、当該適宜に採用された形状と相似とされることが好ましい。
【００３１】
図３の（Ａ）に示されるように、導光部材４１の外表面４１ｄには、複数の微細な溝が形成されうる。各溝は、導光部材４１の長手方向に延びている。各溝は、図示のように直線状に形成されてもよいし、導光部材４１の長手方向に沿って螺旋状に延びるように形成されてもよい。
【００３２】
このような構成によれば、簡単な表面加工によって上記の光拡散作用を得ることが可能である。
【００３３】
光拡散効果は、必ずしも複数の溝のみによって得られることを要しない。外表面４１ｄ上に形成されて導光部材４１の長手方向に延びる複数の微細な突条によっても光拡散効果は得られうる。また、導光部材４１の長手方向に延びる複数の溝と突条の双方によって光拡散効果を得る構造も採用されうる。
【００３４】
図２に示されるように、アラーム表示部４は、第一反射部材４４を備えうる。この場合、第一反射部材４４は、導光部材４１と第一光源４２の間に配置される。第一反射部材４４は、第一光源４２から出射された光の一部を反射して導光部材４１の端面４１ａに入射させるように配置される。
【００３５】
このような構成によれば、端面４１ａに直接入射しない方向へ出射された第一光源４２からの光を、導光部材４１による上述の作用に供させることが可能となる。すなわち、第一光源４２から出射される光の利用効率が高まり、アラーム表示部４から出射される光の視認容易性が向上する。
【００３６】
図２に示されるように、アラーム表示部４は、第二反射部材４５を備えうる。この場合、図４の（Ｂ）に示されるように、第二反射部材４５は、一対の平坦な反射面４５ａを有しうる。一対の反射面４５ａは、導光部材４１の外表面４１ｄから出射された光を透光部材４３に向けて反射するように配置される。
【００３７】
このような構成によれば、透光部材４３に直接入射しない方向へ出射された導光部材４１からの光を、モニタ装置１の外側へ向かわせることが可能になる。すなわち、第一光源４２から出射される光の利用効率が高まり、アラーム表示部４から出射される光の視認容易性が向上する。
【００３８】
導光部材４１の外表面４１ｄから出射された光を透光部材４３に向けて反射できれば、一対の平坦な反射面４５ａは、少なくとも一つの湾曲した反射面とされうる。
【００３９】
図２に示されるように、アラーム表示部４は、第二光源４６と透光部材４７を備えうる。この場合、第二光源４６は、所定の色の光を出射可能な発光素子である。発光素子としては、発光ダイオード（ＬＥＤ）、レーザダイオード（ＬＤ）、有機ＥＬ素子などが例示されうる。
【００４０】
透光部材４７は、乳白色の外観を呈している。透光部材４７は、例えばアクリル系の樹脂製、ポリカーボネート製、またはシリコン製である。透光部材４７は、第二光源４６と対向するように配置される。透光部材４７は、少なくとも第二光源４６から出射される光の波長に対して透過性を有する。図１の（Ｃ）に示されるように、筐体２の前面には開口２ａが形成されうる。アラーム表示部４が筐体２に取り付けられると、透光部材４７は、開口２ａを通じて露出するように配置される。第二光源４６から出射された光は、透光部材４７により拡散されつつ、筐体２の前方へ導かれる。
【００４１】
第二光源４６は、透光部材４７とともに筐体２の側に固定されてもよいし、第二反射部材４５に固定されてもよい。筐体２の前面にタッチパネルなどの透明部材が配置される場合、透光部材４７は、当該透明部材によって覆われうる。
【００４２】
第二光源４６は、第一光源４２とは異なる医療情報に関連付けられる。例えば、第二光源４６は、第一光源４２の発光を通じて提供されるアラーム情報とは異なるアラーム情報を提供するために点灯または点滅しうる。あるいは、第二光源４６は、アラーム情報ではない医療情報を提供するために点灯または点滅しうる。
【００４３】
このような構成によれば、アラーム表示部４の構成の一部を利用して構造の大型化を抑制しつつ、より多彩な情報を提供できる。
【００４４】
図１の（Ｃ）に示される例においては、筐体２の上部に配置されるアラーム表示部４のみが第二光源４６と透光部材４７を備えている。これに加えてあるいは代えて、筐体２の左側部と右側部に配置されるアラーム表示部４が第二光源４６と透光部材４７を備えてもよい。この場合、モニタ装置１の向きを左右方向に変えても多彩な情報を提供しやすい。
【００４５】
図２に示されるように、透光部材４３は、薄く平坦な外観を呈しうる。この場合、図１の（Ｃ）に示されるように、各アラーム表示部４の透光部材４３の外面４３ａは、情報表示部３を包囲する筐体２の側面から突出しない。
【００４６】
従来のアラーム表示部は、積極的に筐体の側面から突出する形状を有している。アラーム表示部から様々な方向へ向かう光路を確保し、視認を可能にするためである。本実施形態においては、導光部材４１の光拡散効果によって透光部材４３を通過する前に様々な方向へ向かう光が得られているので、筐体２の側面から突出しない程度に透光部材４３を薄く平坦な形状にできる。このことによっても、構造の大型化を回避できる。
【００４７】
上記の実施形態は、本発明の理解を容易にするための例示にすぎない。上記の実施形態に係る構成は、本発明の趣旨を逸脱しなければ、適宜に変更・改良されうる。
【符号の説明】
【００４８】
１：モニタ装置、２：筐体、３：情報表示部、３１：表示面、４：アラーム表示部、４１：導光部材、４１ａ：端面、４１ｂ：反射部、４１ｄ：外表面、４２：第一光源、４３：透光部材、４３ａ：透光部材の外面、４４：第一反射部材、４５：第二反射部材、４６：第二光源
【図１】
2019096551.tif 000003
【図２】
2019096551.tif 000004
【図３】
2019096551.tif 000005
【図４】
2019096551.tif 000006